(57)【要約】【課題】  キャプチャ現象を有効に低減させることができ、ひいては、同一の放送内容を安定的に聴取し続けることができる「受信装置」を提供すること。【解決手段】  受信信号に含まれる少なくとも当該受信信号を送信した放送局を判別することができる判別情報を検出する検出手段２３，２５と、この検出手段２３，２５によって検出された判別情報に基づいて判別された放送局が希望局でない場合には、受信信号に対する適応処理に誤りがあると判断して当該適応処理を初期化・再始動するための制御を行う制御手段２５とを備えたこと。【選択図】      図１
2006238295.tif 000002
【特許請求の範囲】
【請求項１】
複数個のアンテナを有し、
放送局から送信されて前記アンテナを介して受信された受信信号に対する適応処理を行うことにより、前記アンテナの指向性を変更可能とされた受信装置であって、
前記受信信号に含まれる少なくとも当該受信信号を送信した放送局を判別することができる判別情報を検出する検出手段と、
この検出手段によって検出された判別情報に基づいて判別された放送局が希望局でない場合には、前記適応処理に誤りがあると判断して当該適応処理を初期化・再始動するための制御を行う制御手段と
を備えたことを特徴とする受信装置。
【請求項２】
前記受信信号に対して、当該受信信号の位相およびゲインの少なくとも一方を可変とした重み付けを行うことによって、前記受信信号に対する適応処理を可能とされ、
前記制御手段は、前記重み付けの設定値を初期化・再設定するための制御を行うことによって、前記適応処理を初期化・再始動するための制御を行うこと
を特徴とする請求項１に記載の受信装置。
【請求項３】
前記制御手段は、
前記検出手段が前記希望局以外の放送局の判別情報を所定の時間以上検出した場合に、前記適応処理を初期化・再始動するための制御を行うこと
を特徴とする請求項１または請求項２に記載の受信装置。
【請求項４】
前記受信信号は、ＲＤＳデータを有する受信信号とされ、
前記判別情報は、前記ＲＤＳデータに含まれるＰＩとされていること
を特徴とする請求項１乃至請求項３のいずれか1項に記載の受信装置。
【請求項５】
前記希望局と同一の放送内容を前記希望局の周波数に代替する代替周波数によって放送している代替局に受信を切換えることが可能とされていること
を特徴とする請求項１乃至請求項４のいずれか１項に記載の受信装置。
【請求項６】
前記制御手段は、前記代替局に受信を切換える際に、受信信号に対する適応処理を初期化・再始動するための制御を行うことが可能とされていること
を特徴とする請求項５に記載の受信装置。
【発明の詳細な説明】
【技術分野】
【０００１】
本発明は、受信装置に係り、特に、複数個のアンテナを介して受信された受信信号に対する適応処理を行うことによって、アンテナの指向性を変更するのに好適な受信装置に関する。
【背景技術】
【０００２】
従来から、車載用のラジオ受信機等のアンテナを備えた移動通信用の受信装置においては、特に、平野部の多い地域において、同一周波数の複数の送信波をアンテナを介して同時に受信する場合があった。
【０００３】
図７は、このような複数の送信波を受信する場合の一例として、自車１に搭載された受信装置２のアンテナ（無指向性アンテナ）を介して、ＲＤＳ（Radio Data System）放送を受信する場合を示したものである。なお、ＲＤＳ放送は、ＦＭ信号に、ＡＦリスト（代替周波数リスト）やＰＩ（program-identity）等を含むＲＤＳデータが多重された放送である。
【０００４】
図７に示すように、自車１の受信装置２が検波可能な距離内には、第１放送局３および第２放送局５の２つの放送局３，５が存在しているものとする。
【０００５】
第１放送局３は、自車１の受信装置２が放送を受信しようとしている希望局とされており、この第１放送局３は、周波数がａ〔ＭＨｚ〕、ＰＩがＤ３０１とされている。
【０００６】
一方、第２放送局５は妨害局とされており、この第２放送局５は、周波数が第１放送局３と同じａ〔ＭＨｚ〕、ＰＩがＤ３０２とされている。
【０００７】
ここで、自車１に対して、第１放送局３が近傍局となり、第２放送局５が遠方局となる場合においても、第２放送局５の出力が第１放送局３の出力よりも高い場合には、見通しの良い地域等において、自車１の受信装置２における両放送局３，５の受信レベルが同程度となる場合がある。
【０００８】
また、第１放送局３の出力レベルと、第２放送局５との出力レベルとが同程度の場合であって、自車１の移動にともなって、第１放送局３と第２放送局５とが自車１に対して互いに同一の距離となる地域が存在する場合には、その地域において、自車１の受信装置２における両放送局３，５の受信レベルが同程度となる場合がある。
【０００９】
さらに、図８に示すように、自車１に対して第１放送局３が近傍局となり、第２放送局５が遠方局となる場合においても、第１放送局３と自車１との間に遮蔽物６が存在する地域においては、遮蔽物６によって第１放送局３の受信レベルが下がり、この結果、自車１の受信装置２における両放送局３，５の受信レベルが同程度となる場合がある。
【００１０】
そして、このように、希望局（第１放送局３）の放送と、妨害局（第２放送局５）の放送とが同時に受信される場合であって、両放送局３，５の受信レベルが同程度となる地域が存在する場合には、いわゆるキャプチャ現象と称されるＦＭ特有の現象が生じることが知られている。
【００１１】
すなわち、図９に示すように、自車１のアンテナに、第１放送局３の放送と、第２放送局５の放送とが同時に受信された場合には、両放送局３，５のうち、受信の電界強度が強い放送局の音声が復調されることになる。
【００１２】
このようなキャプチャ現象は、同一内容の放送を聴取し続けることができない原因となるため、有効な解決策が求められていた。
【００１３】
また、従来から、移動通信用の受信装置においては、放送局から電波に乗せて送信された信号が建物や地形などの障害によって反射・回折することによって、受信装置が複数の経路（マルチパス）から同じ信号を受信する結果、受信信号にノイズが生じたり、符号の復号化ができないことがあった。
【００１４】
そこで、このようなマルチパスの影響を低減するために、複数個のアンテナを有するアダプティブアレーアンテナを備えた受信装置が採用されるようになった。
【００１５】
アダプティブアレーアンテナを備えた受信装置は、受信信号に対して、当該受信信号の位相やゲインを制御する適応処理を行うことにより、アンテナに指向性を持たせるようになっている。
【００１６】
これにより、希望波にのみ指向性を向けることができるとともに、非希望波（遅延波等）に対しては零点（ヌル）を向けることができ、この結果、マルチパスの影響を低減することができようになっていた。
【００１７】
しかるに、このようなアダプティブアレーアンテナを備えた受信装置においては、前述したキャプチャ現象を冗長させてしまうことが問題となっていた。
【００１８】
すなわち、前述のように、アダプティブアレーアンテナは、適応処理によって希望波にのみ指向性を向けるところ、希望波が、希望局の放送である場合には、希望局に指向性を向けることによってゲインを最大にし、希望局以外の放送局（妨害局等）に対しては、ヌルを向けることによって受信レベルを最小にするといった制御アルゴリズムがはたらくことになる。
【００１９】
ところが、アダプティブアレーアンテナは、同程度の受信レベルの放送を受信した場合には、特に、ゲインを最大にする動作により、希望局以外の放送局に指向性を固定してしまう場合があり、このことが、キャプチャ現象を冗長させてしまう原因となっていた。
【００２０】
例えば、前述した第１放送局３および第２放送局５の例でいえば、第１放送局３と第２放送局５との受信レベルが同程度となる地域においては、適応処理によって第２放送局５に指向性が固定されてしまう場合がある。
【００２１】
これによって、図１０に示すように、第２放送局５に対する受信の電界強度が強くなり、キャプチャ現象が冗長されて妨害局である第２放送局５の受信範囲が拡大されてしまう結果となっていた。
【００２２】
このようなキャプチャ現象への対策としては、これまでにも、例えば、特許文献１に示すように、キャプチャ現象によって妨害局の放送が受信された場合に、希望局と同一の放送内容が希望局と異なる周波数（代替周波数）によって放送されている代替局に受信を切換えることによって、同一の放送内容を受信し続けることを目的としたラジオ受信機が提案されていた。
【００２３】
【特許文献１】実開平５−９１０３４号公報
【特許文献２】特開平１０−３０８６９４号公報
【発明の開示】
【発明が解決しようとする課題】
【００２４】
しかしながら、希望局と同一の放送内容を放送している代替局を見つけることができない場合や、希望局がローカル局で、代替局自体が存在しない場合には、特許文献１に記載のラジオ受信機においても、なお、キャプチャ現象の影響を受けることになってしまう。
【００２５】
したがって、キャプチャ現象の問題を有効に解決する手段としては、未だに有効な提案がなされていないのが実情であった。
【００２６】
そこで、本発明は、このような点に鑑みなされたものであり、キャプチャ現象を有効に低減させることができ、ひいては、同一の放送内容を安定的に聴取し続けることができる受信装置を提供することを目的とするものである。
【課題を解決するための手段】
【００２７】
前述した目的を達成するため、本発明に係る受信装置の特徴は、複数個のアンテナを有し、放送局から送信されて前記アンテナを介して受信された受信信号に対する適応処理を行うことにより、前記アンテナの指向性を変更可能とされた受信装置であって、前記受信信号に含まれる少なくとも当該受信信号を送信した放送局を判別することができる判別情報を検出する検出手段と、この検出手段によって検出された判別情報に基づいて判別された放送局が希望局でない場合には、前記適応処理に誤りがあると判断して当該適応処理を初期化・再始動するための制御を行う制御手段とを備えた点にある。
【００２８】
そして、このような構成によれば、制御手段による制御により、検出手段によって検出された判別情報に基づいて判別された放送局が希望局でない場合には、適応処理を初期化・再始動することによって、希望局に指向性が向くようにアンテナの指向性を修正して誤選局を確実かつすみやかに解消することが可能となる。
【００２９】
また、本発明に係る受信装置の特徴は、受信信号に対して、当該受信信号の位相およびゲインの少なくとも一方を可変とした重み付けを行うことによって、前記受信信号に対する適応処理を可能とされ、制御手段が、前記重み付けの設定値を初期化・再設定するための制御を行うことによって、前記適応処理を初期化・再始動するための制御を行う点にある。
【００３０】
そして、このような構成によれば、制御手段による制御により、重み付けの設定値を初期化・再設定することによって、適応処理を簡便かつ適切に初期化・再始動することが可能となる。
【００３１】
さらに、本発明に係る受信装置の特徴は、制御手段は、検出手段が希望局以外の放送局の判別情報を所定の時間以上検出した場合に、適応処理を初期化・再始動するための制御を行う点にある。
【００３２】
そして、このような構成によれば、誤選局であることの更に確かな確証を得た上で、適応処理を初期化・再始動することが可能となる。
【００３３】
さらにまた、本発明に係る受信装置の特徴は、受信信号が、ＲＤＳデータを有する受信信号とされ、判別情報が、前記ＲＤＳデータに含まれるＰＩとされている点にある。
【００３４】
そして、このような構成によれば、ＲＤＳデータのＰＩに基づいて、受信信号を送信した放送局を確実に判別することが可能となる。
【００３５】
また、本発明に係る受信装置の特徴は、希望局と同一の放送内容を前記希望局の周波数に代替する代替周波数によって放送している代替局に受信を切換えることが可能とされている点にある。
【００３６】
そして、このような構成によれば、希望局から代替局に受信を切換えることによって、同一の放送内容の放送を受信し続けることが可能となる。
【００３７】
さらに、本発明に係る受信装置の特徴は、制御手段が、代替局に受信を切換える際に、受信信号に対する適応処理を初期化・再始動するための制御を行うことが可能とされている点にある。
【００３８】
そして、このような構成によれば、希望局から代替局に受信を切換える際にも、制御手段による制御により、受信信号に対する適応処理の初期化・再始動を行うことによって、代替局以外の放送局が誤選局される確率を低減させることが可能となる。
【発明の効果】
【００３９】
そして、このような構成によれば、制御手段による制御により、検出手段によって検出された判別情報に基づいて判別された放送局が希望局でない場合には、適応処理を初期化・再始動することによって、希望局に指向性が向くようにアンテナの指向性を修正して誤選局を確実にかつすみやかに解消することができる結果、キャプチャ現象を有効に低減させることができ、ひいては、同一の放送内容を安定的に聴取し続けることができる。
【００４０】
また、本発明に係る受信装置によれば、制御手段による制御により、重み付けの設定値を初期化・再設定することによって、適応処理を簡便かつ適切に初期化・再始動することができる結果、キャプチャ現象をさらに簡便かつ適切に低減させることができる。
【００４１】
さらに、本発明に係る受信装置によれば、誤選局であることの更に確かな確証を得た上で、適応処理を初期化・再始動することができるため、キャプチャ現象をさらに適切に低減させることができ、同一の放送内容をさらに安定的に聴取し続けることができる。
【００４２】
さらにまた、本発明に係る受信装置によれば、ＲＤＳデータのＰＩに基づいて、受信信号を送信した放送局を確実に判別することができる結果、ＲＤＳ放送におけるキャプチャ現象を有効に低減させることができ、ＲＤＳ放送における同一の放送内容を安定的に聴取し続けることができる。
【００４３】
また、本発明に係る受信装置によれば、希望局から代替局に受信を切換えることによって、同一の放送内容の放送を受信し続けることができる結果、同一の放送内容をさらに簡便に聴取し続けることができる。
【００４４】
さらに、本発明に係る受信装置によれば、希望局から代替局に受信を切換える際にも、制御手段による制御により、受信信号に対する適応処理の初期化・再始動を行うことによって、代替局以外の放送局が誤選局される確率を低減させることができる結果、同一の放送内容をより安定的に聴取し続けることができる。
【発明を実施するための最良の形態】
【００４５】
以下、本発明に係る受信装置の実施形態について、図１乃至図６を参照して説明する。
【００４６】
なお、従来と基本的構成の同一もしくはこれに類する箇所については、同一の符号を用いて説明する。
【００４７】
図１に示すように、本実施形態における受信装置８は、アダプティブアレーアンテナを構成する第１アンテナ１０および第２アンテナ１１の２個のアンテナ１０，１１を有している。
【００４８】
これら第１アンテナ１０および第２アンテナ１１は、放送局から送信されるＦＭ信号を受信信号として受信し、この受信信号を受信装置８の内部に出力するようになっている。
【００４９】
なお、本実施形態における受信信号は、ＦＭ信号にＲＤＳデータが多重された信号とされている。
【００５０】
第１アンテナ１０に対して受信信号の出力側には、第１混合器１２が接続されており、この第１混合器１２には、第１アンテナ１０から出力された受信信号が入力されるようになっている。
【００５１】
また、第２アンテナ１１に対して受信信号の出力側には、第２混合器１４が接続されており、この第２混合器１４には、第２アンテナ１１から出力された受信信号が入力されるようになっている。
【００５２】
第１混合器１２および第２混合器１４には、局部発振器１５が接続されており、この局部発振器１５は、所定の周波数の局部発振信号を発振するようになっている。
【００５３】
局部発振器１５から発振された局部発振信号は、第１混合器１２および第２混合器１４にそれぞれ入力されるようになっている。
【００５４】
第１混合器１２は、局部発振器１５から入力された局部発振信号と第１アンテナ１０から入力された受信信号とを混合することによって、受信信号の周波数を中間周波数まで減衰させるとともに、この周波数が減衰された受信信号を出力するようになっている。
【００５５】
これにより、第１混合器１２から出力された受信信号を安定的に処理することができる。
【００５６】
第２混合器１４は、局部発振器１５から入力された局部発振信号と第２アンテナ１１から入力された受信信号とを混合することによって、受信信号の周波数を中間周波数まで減衰させるとともに、この周波数が減衰された受信信号を出力するようになっている。
【００５７】
これにより、第２混合器１４から出力された受信信号を安定的に処理することができる。
【００５８】
第１混合器１２に対して受信信号の出力側には、第１重み付け部１６が接続されており、この第１重み付け部１６には、第１混合器１２から出力された受信信号が入力されるようになっている。
【００５９】
そして、第１重み付け部１６は、第１混合器１２から入力された受信信号に対して、位相およびゲインについての設定された重み係数にしたがった重み付けを行うとともに、この重み付けが行われた受信信号を出力するようになっている。
【００６０】
第２混合器１４に対して受信信号の出力側には、第２重み付け部１７が接続されており、この第２重み付け部１７には、第２混合器１４から出力された受信信号が入力されるようになっている。
【００６１】
そして、第２重み付け部１７は、第２混合器１４から入力された受信信号に対して、位相およびゲインについての設定された重み係数にしたがった重み付けを行うとともに、この重み付けが行われた受信信号を出力するようになっている。
【００６２】
このように、第１重み付け部１６および第２重み付け部１７による受信信号に対する重み付けを行うことによって、受信信号の位相およびゲインが重み係数にしたがった値に設定され、アンテナ１０，１１の指向性が形成されるようになっている。
【００６３】
第１重み付け部１６および第２重み付け部１７に対して受信信号の出力側には、加算器１９が接続されており、この加算器１９には、第１重み付け部１６から出力された受信信号および第２重み付け部１７から出力された受信信号がそれぞれ入力されるようになっている。
【００６４】
そして、加算器１９は、第１重み付け部１６から入力された受信信号と第２重み付け部１７から入力された受信信号とを加算するとともに、この加算された受信信号を出力するようになっている。
【００６５】
加算器１９に対して受信信号の出力側には、受信信号に対する適応処理を行う適応処理部２０が接続されており、この適応処理部２０には、加算器１９から出力された受信信号が入力されるようになっている。
【００６６】
さらに、適応処理部２０には、第１重み付け部１６および第２重み付け部１７が接続されており、各重み付け部１６，１７から出力された受信信号が適応処理部２０に入力されるようになっている。
【００６７】
適応処理部２０は、加算器１９から入力された受信信号と、第１重み付け部１６および第２重み付け部１７から入力された各受信信号とを比較して、第１重み付け部１６および第２重み付け部１７に設定すべき最適な位相およびゲインについての重み係数を決定し、決定した重み係数を第１重み付け部１６および第２重み付け部１７にそれぞれ設定するようになっている。
【００６８】
このとき、適応処理部２０によって設定される重み係数は、例えば、ＬＭＳ（Least Mean Square）等の適応アルゴリズムを用いることによって、適応処理部２０に入力される各受信信号の変化に応じて逐次最適な値に更新されるようになっている。
【００６９】
これにより、受信信号の位相およびゲインを、重み係数の更新にともなって最適な値に変更することができ、アンテナの指向性を最適な状態に補正することができる。
【００７０】
すなわち、第１重み付け部１６および第２重み付け部１７が、適応処理部２０によって設定された重み係数にしたがって、受信信号に対して位相およびゲインを可変とした重み付けを行うことにより、適応処理部２０による受信信号に対する適応処理を行うことができるようになっている。
【００７１】
なお、適応処理のより具体的な内容としては、例えば、受信信号中に、希望局以外の放送局（妨害局等）から受信した受信信号などのノイズが含まれている場合に、ノイズを最小に抑えるために最適な重み係数を設定することが挙げられる。この他にも、例えば、受信信号中にノイズが含まれていない場合には、受信信号の受信レベルを最大にするために最適な重み係数を設定することが挙げられる。
【００７２】
このようにして適応処理部２０による適応処理が行われることによって、第１アンテナ１０および第２アンテナ１１には、図２の（ａ）〜（ｃ）に示すように、重み係数に応じた種々の指向性パターン２６（換言すれば、放射パターン）が形成されることになる。なお、図２に示すように、指向性パターン２６は、アンテナ１０，１１への受信信号の入射角θと、各入射角θの方向における受信レベルとの関係を示している。
【００７３】
加算器１９に対して受信信号の出力側には、ＦＭ検波処理部２２が接続されており、このＦＭ検波処理部２２には、加算器１９から出力された受信信号が入力されるようになっている。
【００７４】
ＦＭ検波処理部２２は、入力された受信信号を検波することによって音声信号を取得し、取得した音声信号を出力するようになっている。
【００７５】
ＦＭ検波処理部２２から出力された音声信号は、図示しないスピーカ等の音声出力手段によって音声出力されることになる。
【００７６】
そして、本実施形態において、ＦＭ検波処理部２２の出力側には、検出手段として機能するＲＤＳデータ処理部２３が接続されており、このＲＤＳデータ処理部２３と適応処理部２０との間には、検出手段および制御手段として機能する制御部２５が接続されている。
【００７７】
ＲＤＳデータ処理部２３は、制御部２５による制御により、ＦＭ検波処理部２２において検波処理が行われた信号から、判別情報としてのＰＩが含まれたＲＤＳデータを取得するようになっている。
【００７８】
そして、ＲＤＳデータ処理部２３は、取得したＲＤＳデータを制御部２５に出力するようになっている。
【００７９】
制御部２５は、ＲＤＳデータ処理部２３から出力されたＲＤＳデータを入力するとともに、このＲＤＳデータからＰＩを検出するようになっている。
【００８０】
したがって、ＲＤＳデータ処理部２３と制御部２５とによって、受信信号を送信した放送局のＰＩを検出することができるようになっている。
【００８１】
さらに、制御部２５は、検出されたＰＩから、受信信号を送信した放送局を判別し、判別された放送局が希望局である場合には、受信信号に対する適応処理が適正であると判断して、適応処理部２０に対して適応処理を続行する旨の指令（制御信号）を出力するようになっている。
【００８２】
これによって、適応処理部２０による受信信号に対する適応処理が続行されることになる。
【００８３】
一方、制御部２５は、ＰＩに基づいて判別された放送局が、希望局以外の放送局である場合には、当該希望局以外の放送局のＰＩが、所定の時間以上検出されたか否かを判定するようになっている。
【００８４】
なお、制御部２５には、図示しないタイマが備えられており、このタイマによって、前記希望局以外の放送局のＰＩの検出時間を計測することができるようになっている。
【００８５】
また、前記所定の時間については、任意の時間を設定することができる。例えば、ＰＩの検出には、最大２５０msecの時間を要するため、前記希望局以外の放送局のＰＩを２〜４回連続して検出するのに要する時間（５００〜１０００msec）を前記所定の時間としてもよい。
【００８６】
そして、制御部２５は、前記希望局以外のＰＩが前記所定の時間以上検出された場合には、適応処理に誤りがあると判断して、適応処理部２０に対して適応処理を初期化・再始動する旨の指令（制御信号）を出力するようになっている。
【００８７】
すなわち、制御部２５は、適応処理部２０に対して、重み付けの設定値としての第１重み付け部１６および第２重み付け部１７に設定する重み係数を初期化・再設定する旨の指令を出力することによって、適応処理を初期化・再始動させるようになっている。
【００８８】
これにより、誤選局であるとの確証を得た上で、適応処理を簡便かつ適切に初期化・再始動することができ、希望局に指向性が向くようにアンテナ１０，１１の指向性を修正して誤選局を確実かつすみやかに解消することができる。
【００８９】
そして、このような受信装置８を自車１に搭載した場合には、図３に示すように、自車１の受信装置８のアンテナ１０，１１に形成される指向性パターン２６は、希望局である第１放送局３に向けて非常に大きくなり、妨害局である第２放送局５に向けて非常に小さくなる。
【００９０】
このことを、受信の電界強度の変化としてみると、図４に示すように、第２放送局５の放送が受信されている間、換言すれば、第２放送局５のＰＩが検出されている間は、第２放送局５に対する受信の電界強度が強くなっているが、この期間において、適応処理の初期化・再始動を行うことによって、希望局である第１放送局３へ復帰することができる確率を高くすることができる。
【００９１】
すなわち、本実施形態によれば、適応処理の初期化・再始動を行わないアダプティブアレーアンテナ（図１０参照）を備えた受信装置に比べて、キャプチャ現象を有効に低減させることができ、希望局の受信範囲を拡大して希望局の放送を聴取し続けることができる時間を長くすることができる。
【００９２】
上記構成に加えて、さらに、本実施形態における受信装置８は、前記希望局と同一の放送内容を、前記希望局の周波数に代替する代替周波数によって放送している代替局を検出することができる場合には、代替局に受信を切換えることが可能とされている。
【００９３】
したがって、代替局を検出することができる場合には、希望局から代替局に受信を切換えることによって、同一の放送内容の放送を受信し続けることができる。
【００９４】
なお、代替局の有無については、希望局からの受信信号のＰＩに基づいて簡便に判断することができる。
【００９５】
さらに、本実施形態において、制御部２５は、前記代替局に受信を切換える際にも、適応処理部２０に対して、受信信号に対する適応処理を初期化・再始動するための制御を行うようになっている。
【００９６】
すなわち、代替局に受信を切換える際に、受信信号のＰＩに基づいて判別された放送局が代替局でない場合には、適応処理に誤りがあると判断して適応処理を初期化・再始動させることによって、代替局に指向性が向くようにアンテナ１０，１１の指向性を修正するようになっている。
【００９７】
これにより、希望局から代替局に受信を切換える際に、代替局以外の放送局が誤選局される確率を低減させることができる。
【００９８】
なお、このような代替局への受信の切り替えが可能な場合に、代替局への受信の切り替えと、前述した希望局からの受信信号に対する適応処理の初期化・再始動とのいずれを優先させるかについては、コンセプトに応じていずれを選択してもよい。
【００９９】
次に、本実施形態の作用について、図５および図６を参照して説明する。
【０１００】
なお、本実施形態の作用を説明するにあたっては、便宜上、希望局の放送と同一の放送内容を希望局の周波数と異なる代替周波数（ＡＦ）によって放送している代替局が存在しない場合（図５参照）と、存在する場合（図６参照）とに分けて説明する。
【０１０１】
まず、代替局が存在しない場合には、図５のステップ１（ＳＴ１）に示すように、制御部２５により、ＲＤＳデータ処理部２３において取得されたＲＤＳデータから受信信号のＰＩを検出し、検出されたＰＩに基づいて前記受信信号を送信した放送局を判別し、判別された放送局が希望局であるか否かを判定する。
【０１０２】
このとき、制御部２５は、ＰＩの検出と同時にタイマをスタートさせてＰＩの検出時間の計測を開始する。
【０１０３】
そして、ステップ１（ＳＴ１）において判別された放送局が、希望局である場合には、ステップ２（ＳＴ２）に進み、希望局以外の放送局である場合には、ステップ３（ＳＴ３）に進む。
【０１０４】
ステップ２（ＳＴ２）においては、制御部２５により、現在実行されている受信信号に対する適応処理が適正であると判断するとともに、タイマをストップおよびクリアすることによって、ＰＩの検出時間の計測を停止し、ＰＩの検出時間の計測結果を消去する。
【０１０５】
そして、ステップ２（ＳＴ２）の後には、処理を終了する。
【０１０６】
この場合には、適応処理部２０によって、今までの適応処理が続行されることになる。
【０１０７】
一方、ステップ３（ＳＴ３）においては、制御部２５により、タイマがスタートしているか否かを判定し、スタートしている場合には、ステップ４（ＳＴ４）に進み、スタートしていない場合には、ステップ７（ＳＴ７）に進む。
【０１０８】
ステップ４（ＳＴ４）においては、制御部２５により、タイマによる計測時間、すなわち、前記希望局以外の放送局のＰＩの検出時間が、所定の時間以上であるか否かを判定し、所定の時間以上である場合には、ステップ５（ＳＴ５）に進み、所定の時間未満である場合には、ステップ１（ＳＴ１）に戻る。
【０１０９】
一方、ステップ７（ＳＴ７）においては、制御部２５によりタイマをスタートさせた後にステップ１（ＳＴ１）に戻る。
【０１１０】
次いで、ステップ５（ＳＴ５）においては、制御部２５により、現在実行されている適応処理に誤りがあると判断するとともに、適応処理を初期化・再始動させた後にステップ６（ＳＴ６）に進む。
【０１１１】
次いで、ステップ６（ＳＴ６）においては、制御部２５により、タイマをクリアおよびスタートさせることによって、ＰＩの検出時間の計測結果を消去した後、タイマを再始動させる。
【０１１２】
次に、代替局が存在する場合には、図６のステップ１１（ＳＴ１１）に示すように、制御部２５により、ＲＤＳデータ処理部２３において取得されたＲＤＳデータから受信信号のＰＩを検出し、検出されたＰＩに基づいて前記受信信号を送信した放送局を判別し、判別された放送局が希望局であるか否かを判定する。
【０１１３】
そして、ステップ１１（ＳＴ１１）において判定された放送局が希望局である場合には、処理を終了し、希望局でない場合には、ステップ１２（ＳＴ１２）に進む。
【０１１４】
次いで、ステップ１２（ＳＴ１２）においては、代替局の代替周波数をチエックしてステップ１３（ＳＴ１３）に進む。
【０１１５】
次いで、ステップ１３（ＳＴ１３）においては、制御部２５による制御により、適応処理を初期化・再始動させて、アンテナ１０，１１の指向性が代替局を向くようにした後にステップ１１（ＳＴ１１）に戻る。
【０１１６】
これにより、代替局が適切に選局され、代替局から希望局と同一の放送内容の放送を受信することができる。
【０１１７】
以上説明したように、本実施形態における受信装置によれば、制御部２５による制御により、ＰＩに基づいて判別された放送局が希望局でない場合には、適応処理を初期化・再始動することによって、希望局に指向性が向くようにアンテナの指向性を修正して誤選局を確実かつすみやかに解消することができる。
【０１１８】
この結果、キャプチャ現象を有効に低減させることができ、ひいては、同一の放送内容を安定的に聴取し続けることができる。
【０１１９】
なお、本発明は、前述した実施の形態に限定されるものではなく、必要に応じて種々の変更が可能である。
【０１２０】
例えば、本発明は、車載用の受信装置以外の受信装置にも有効に適用することができるものである。
【０１２１】
また、アンテナの個数は、本実施形態のように２個に限る必要はなく、３個以上のアンテナを設けるようにしてもよい。
【図面の簡単な説明】
【０１２２】
【図１】本発明に係る受信装置の実施形態を示すブロック図
【図２】本発明に係る受信装置の実施形態において、適応処理によって形成される指向性パターンについての複数の具体例を示す図
【図３】本発明に係る受信装置の実施形態において、適応処理の初期化・再始動によって自車に搭載された受信装置のアンテナに形成される指向性パターンを、第１放送局および第２放送局とともに示す説明図
【図４】本発明に係る受信装置の実施形態において、受信電界強度および復調音声の変動を示す説明図
【図５】本発明に係る受信装置の実施形態において、代替局が存在しない場合における処理の流れを示すフローチャート
【図６】本発明に係る受信装置の実施形態において、代替局が存在する場合における処理の流れを示すフローチャート
【図７】ＲＤＳ放送を送信する第１放送局および第２放送局と、第１放送局を希望局とした受信装置を搭載した自車とを示す説明図
【図８】妨害局である第２放送局の受信レベルが希望局である第１放送局の受信レベルよりも大きくなる場合の一例を示す説明図
【図９】無指向性アンテナを有する受信装置における受信電界強度および復調音声の変動を示す説明図
【図１０】従来のアダプティブアレーアンテナを備えた受信装置における受信電界強度および復調音声の変動を示す説明図
【符号の説明】
【０１２３】
３  第１放送局
５  第２放送局
８  受信装置
１０  第１アンテナ
１１  第２アンテナ
１６  第１重み付け部
１７  第２重み付け部
２０  適応処理部
２３  ＲＤＳデータ処理部
２５  制御部
【図１】
2006238295.tif 000003
【図２】
2006238295.tif 000004
【図３】
2006238295.tif 000005
【図４】
2006238295.tif 000006
【図５】
2006238295.tif 000007
【図６】
2006238295.tif 000008
【図７】
2006238295.tif 000009
【図８】
2006238295.tif 000010
【図９】
2006238295.tif 000011
【図１０】
2006238295.tif 000012